(57)【要約】【課題】補助熱交換器を固定する固定具を、凝縮水を受けて前部露受部へと導く桶状の保持部と、伝熱管に係止する係止部とで構成した空気調和機を提供する。【解決手段】吸込口２と吹出口３とを結ぶ空気通路に、前部熱交換器４ａおよび後部熱交換器４ｂからなり逆Ｖ字状に形成された熱交換器４と、前記前部熱交換器４ａおよび前記後部熱交換器４ｂの下部に夫々対応して設けられた前部露受部５ａおよび後部露受部５ｂと、ファンケーシング６に収容されたクロスフローファン７とを設け、前記前部熱交換器４ａの風上側に、固定具８によって固定される補助熱交換器９を併設してなる空気調和機において、前記固定具８を、前記補助熱交換器９の下端部を保持し、同補助熱交換器９で生じた凝縮水を受けて前記前部露受部５ａへと導く桶状の保持部８ａと、前記補助熱交換器９および前記熱交換器４の伝熱管ａに係止する係止部８ｂとで構成した。【選択図】　図１
2004011943.tif 000002
【特許請求の範囲】
【請求項１】
本体の前面上部および上面に形成された吸込口と、下面前部に形成された吹出口とを結ぶ空気通路に、前部熱交換器および後部熱交換器からなり逆Ｖ字状に形成された熱交換器と、前記前部熱交換器および前記後部熱交換器の下部に夫々対応して設けられた前部露受部および後部露受部と、ファンケーシングに収容されたクロスフローファンとを設け、前記前部熱交換器および、または前記後部熱交換器の風上側に、固定具によって固定される補助熱交換器を併設してなる空気調和機において、
前記固定具を、前記補助熱交換器の下端部を保持すると共に、同補助熱交換器で生じた凝縮水を受けて前記前部露受部および、または前記後部露受部へと導く桶状の保持部と、前記補助熱交換器および前記熱交換器の伝熱管に係止する係止部とで構成してなることを特徴とする空気調和機。
【請求項２】
前記固定具を、弾性を有する樹脂成形品により構成してなることを特徴とする請求項１に記載の空気調和機。
【請求項３】
前記固定具を、少なくとも前記補助熱交換器の左右全幅に亘って形成してなることを特徴とする請求項１または請求項２に記載の空気調和機。
【発明の詳細な説明】
【０００１】
【発明の属する技術分野】
本発明は、逆Ｖ字状の熱交換器を備えた空気調和機に係わり、より詳細には、補助熱交換器を固定する固定具を、同補助熱交換器で生じた凝縮水を受けて前部露受部へと導く桶状の保持部と、前記補助熱交換器および前記熱交換器の伝熱管に係止する係止部とで構成した構造に関する。
【０００２】
【従来の技術】
従来の空気調和機は、例えば図２で示すように、本体１の前面上部および上面に形成された吸込口２と、下面前部に形成された吹出口３とを結ぶ空気通路に、前部熱交換器４ａおよび後部熱交換器４ｂからなり逆Ｖ字状に形成された熱交換器４と、前記前部熱交換器４ａおよび前記後部熱交換器４ｂの下部に夫々対応して設けられた前部露受部５ａおよび後部露受部５ｂと、ファンケーシング６に収容されたクロスフローファン７とを設け、前記前部熱交換器４ａの風上側に、固定具８によって固定される補助熱交換器９を併設してなる構成であった。
【０００３】
前記補助熱交換器９が、前記前部熱交換器４ａの風上側のスペースを有効利用して併設されたことにより、空気調和機本体１を大型化させることなく、前記熱交換器４全体としての熱交換能力を向上させることができて効果的な空気調和を実現していた。
【０００４】
しかしながら、前記補助熱交換器９は、その長手方向の中央部が前記固定具８によって前記前部熱交換器４ａに併設された構成であることから、下端部から凝縮水ｓが鉛直方向に滴下し、製品外に飛び跳ねてしまうといった不具合が生じる恐れがあった。
【０００５】
【発明が解決しようとする課題】
本発明は、上記問題点に鑑み、補助熱交換器を固定する固定具を、同補助熱交換器で生じた凝縮水を受けて前部露受部へと導く桶状の保持部と、前記補助熱交換器および前記熱交換器の伝熱管に係止する係止部とで構成した空気調和機を提供することを目的とする。
【０００６】
【課題を解決するための手段】
本発明は、上記課題を解決するため、本体の前面上部および上面に形成された吸込口と、下面前部に形成された吹出口とを結ぶ空気通路に、前部熱交換器および後部熱交換器からなり逆Ｖ字状に形成された熱交換器と、前記前部熱交換器および前記後部熱交換器の下部に夫々対応して設けられた前部露受部および後部露受部と、ファンケーシングに収容されたクロスフローファンとを設け、前記前部熱交換器および、または前記後部熱交換器の風上側に、固定具によって固定される補助熱交換器を併設してなる空気調和機において、
前記固定具を、前記補助熱交換器の下端部を保持すると共に、同補助熱交換器で生じた凝縮水を受けて前記前部露受部および、または前記後部露受部へと導く桶状の保持部と、前記補助熱交換器および前記熱交換器の伝熱管に係止する係止部とで構成している。
【０００７】
また、前記固定具を、弾性を有する樹脂成形品により構成した構成となっている。
【０００８】
更に、前記固定具を、少なくとも前記補助熱交換器の左右全幅に亘って形成した構成となっている。
【０００９】
【発明の実施の形態】
以下、本発明の実施の形態を図面に基づいた実施例として詳細に説明する。
図１は本発明による空気調和機の断面図である。
【００１０】
本発明による空気調和機は、図１で示すように、本体１の前面上部および上面には吸込口２が形成され、下面前部には吹出口３が形成された構成となっている。
【００１１】
前記吸込口２と、前記吹出口３とを結ぶ空気通路には、前記吸込口２から吸い込まれた吸込空気中に含まれた塵埃を除去するエアフィルタと、前部熱交換器４ａおよび後部熱交換器４ｂからなり、前記エアフィルタを通過した空気を熱交換する逆Ｖ字状に形成された熱交換器４と、ファンケーシング６に収容されたクロスフローファン７とが順次設けられている。
【００１２】
また、前記前部熱交換器４ａの風上側には、該個所のスペースを有効利用して、固定具８によって固定される補助熱交換器９を併設することにより、空気調和機本体１を大型化させることなく、前記熱交換器４全体としての熱交換能力を向上させて効果的な空気調和を実現している。
【００１３】
なお、前記前部熱交換器４ａおよび前記後部熱交換器４ｂの下部には、前部露受部５ａおよび後部露受部５ｂが夫々設けられており、これらによって前記前部熱交換器４ａおよび前記後部熱交換器４ｂから滴下する凝縮水を夫々正確に受けることができるようになっている。
【００１４】
そして、前記固定具８を、前記補助熱交換器９の下端部を保持すると共に、同補助熱交換器９で生じた凝縮水を受けて前記前部露受部５ａおよび、または前記後部露受部５ｂへと導く桶状の保持部８ａと、前記補助熱交換器９および前記熱交換器４の伝熱管ａに係止する係止部８ｂとで構成している。
【００１５】
以上の構成により、次にその動作について説明する。
例えば冷房運転時に、前記クロスフローファン７により前記吸込口２から吸い込まれ前記エアフィルタを通過した吸込空気が、前記補助熱交換器９および前記熱交換器４を通過して冷気流となり、前記吹出口３に向けて送出される。
【００１６】
その際、前記前部熱交換器４ａから滴下する凝縮水は前記前部露受部５ａで受けられることになり、また、前記後部熱交換器４ｂから滴下する凝縮水は前記後部露受部５ｂで受けられることになる。
【００１７】
ところで、前記補助熱交換器９は前記前部熱交換器４ａの風上側に併設されており、同補助熱交換器９の下端部から凝縮水が鉛直方向に滴下して製品外に飛び跳ねてしまうといった不具合が生じないようにするため、前記前部熱交換器４ａを経て前記前部露受部５ａへと導く桶状の保持部８ａを備え、前記伝熱管ａに係止する係止部８ｂを備えた固定具８によって固定されている。
【００１８】
すなわち、図１の拡大図で示すように、前記固定具８が、前記補助熱交換器９の下端部を保持する桶状の保持部８ａと、同補助熱交換器９および前記熱交換器４の伝熱管ａに係止する係止部８ｂとを備えた構成になっている。
【００１９】
これによって、前記補助熱交換器９の下端部を前記桶状の保持部８ａで保持すると共に、前記係止部８ｂを前記伝熱管ａに係止することにより、前記保持具８によって前記補助熱交換器９を前記前部熱交換器４ａに固定し、且つ前記補助熱交換器９に生じた凝縮水を前記前部熱交換器４ａに導いたのち、同前部熱交換器４ａから流下する凝縮水といっしょに前記前部露受部５ａへと導き入れることができる。
【００２０】
なお、前記固定具８は、弾性を有する樹脂成形品により構成してなり、且つ前記補助熱交換器９の左右全幅に亘って形成した構成になっているので、前記係止部８ｂに適宜弾性をもたせて前記伝熱管ａに容易に、且つ強固に係止できるようになり、また、前記補助熱交換器９の全域に生じた凝縮水を前記前部熱交換器４ａに正確に導くことができる。
【００２１】
【発明の効果】
以上説明したように、本発明によると、補助熱交換器を固定する固定具を、同補助熱交換器で生じた凝縮水を受けて前部露受部へと導く桶状の保持部と、前記補助熱交換器および前記熱交換器の伝熱管に係止する係止部とで構成した空気調和機となる。
【図面の簡単な説明】
【図１】本発明による空気調和機の断面図である。
【図２】従来例による空気調和機の断面図である。
【符号の説明】
１　空気調和機本体
２　吸込口
３　吹出口
４　熱交換器
４ａ　前部熱交換器
４ｂ　後部熱交換器
５ａ　前部露受部
５ｂ　後部露受部
６　ファンケーシング
７　クロスフローファン
８　固定具
８ａ　保持部
８ｂ　係止部
９　補助熱交換器
ａ　伝熱管
【図１】
2004011943.tif 000003
【図２】
2004011943.tif 000004